(57)【特許請求の範囲】
【請求項１】
設計支援サーバー（２）と、前記設計支援サーバー（２）へのアクセス権を有する依頼者が利用する通信端末（３）と、同じく設計支援サーバー（２）へのアクセス権を有する会社が利用する通信端末（４）とを、インターネットのネットワーク（５）を介して接続し、前記設計支援サーバー（２）が上記通信端末（３）、（４）を利用する各ユーザーにＷＥＢページ上で設計成果物の設計条件を記載漏れや誤植を防止した正確な入力で行わせると共に、最新の進捗状況を各通信端末を通じて閲覧可能に共有させて効率的な設計依頼を支援する堰堤の設計依頼支援方法であって、
設計支援サーバー（２）は、個人情報データベース（２１）及び設計案件データベース（２２）並びに進捗状況データベース（２３）と参考資料データベース（２４）とを有し、依頼者又は会社の通信端末（３）、（４）を利用する各ユーザーに設計条件を入力させる入力フォーム（６１０）と、設計条件の正確な入力をサポートする参考資料を提供するガイドフレーム（６２０）とを有するＷＥＢページを提供し、設計成果物の設計条件及び最新の進捗状況を前記各ユーザーへＷＥＢページ上で閲覧可能に共有させて開示し、
設計支援サーバー（２）は、依頼者又は会社の通信端末（３）、（４）を利用する各ユーザーに設計依頼する堰堤の種類を選択させ、選択された堰堤に係る設計成果物に必要十分な設計条件を入力可能な入力欄を有する前記入力フレーム（６１０）を出力画面上に表示させるステップと、
設計支援サーバー（２）は、依頼者又は会社の通信端末（３）、（４）を使用する各ユーザーが、少なくとも流出土砂量、土石流の流れ幅を含む土石流に関する設計条件、設置位置を含む設置場所に関する基本情報を入力するべく前記入力フレーム（６１０）の所定入力欄を指定すると、該所定入力欄への正確な値の入力をサポートする参考資料を参考資料データベース（２４）から抽出し前記ガイドフレーム（６２０）上に表示して正確な入力を促す入力支援ステップと、
設計支援サーバー（２）は、依頼者又は会社の通信端末（３）、（４）を使用する各ユーザーが入力フレーム（６１０）の入力欄に入力した数値が参考資料データベース（２４）に格納されている適正範囲から外れているか否かを確認し、外れている場合には出力画面上に警告表示させるステップと、
設計支援サーバー（２）は、設計条件の入力が完了すると依頼者又は会社の通信端末（３）、（４）を使用する各ユーザーに設計条件を設計案件データベース（２２）へ保存することを促し、前記保存する旨を受信すると、前記入力フレーム（６１０）の入力欄全てに数値が入力されているか否かを確認し、入力漏れがある場合には出力画面上にその旨を表示させて設計条件の入力を完了させ、その進捗状況をＷＥＢページ上の案件履歴に開示するステップと、
設計支援サーバー（２）は、依頼者及び会社の担当ユーザーが設計条件を指定して完成させた設計依頼を同設計支援サーバー（２）へ送信させ、その進捗状況をＷＥＢページ上の案件履歴へ開示して会社へ堰堤の設計成果物の依頼を行わせるステップと、
から成ることを特徴とする、堰堤の設計依頼支援方法。
【請求項２】
設計支援サーバー（２）は、依頼者の設定条件の入力が難しい場合、代理入力を要求する旨を同設計支援サーバー（２）へ送信させ、その進捗状況をＷＥＢページ上に開示して、会社の担当ユーザーに代理入力を促すステップを含むことを特徴とする、請求項１に記載した堰堤の設計依頼支援方法。
【請求項３】
入力支援ステップは、設計支援サーバー（２）が、依頼者又は会社の通信端末（３）、（４）を使用する各ユーザーに治山又は砂防のいずれの種類の堰堤を設計基準とするかを選択させ、その設計内容が概略設計か又は詳細設計とするかを特定させるステップと、
設計支援サーバー（２）が、依頼者又は会社の通信端末（３）、（４）を使用する各ユーザーに河川の流量、土砂量、河川の勾配の土石流に関する設計条件を入力フレーム（６１０）の入力欄へガイドフレーム（６２０）に表示された参考資料を参照して入力させ、且つ入力された土石流に係る設計条件からピーク流量、濃度、水深、流速を算出する計算式の種類を選択させるステップと、
設計支援サーバー（２）が、前記ステップで一依頼者又は会社の通信端末（３）、（４）を使用する各ユーザーから一般的に推奨されている計算式以外の選択を受けた場合に、誤植防止としてその理由を入力フレーム（６１０）の所定の入力欄へ入力させるステップと、
設計支援サーバー（２）が、依頼者又は会社の通信端末（３）、（４）を使用する各ユーザーに依頼者が設置しようとする堰堤の設置位置や設置目的、流木長・流木径の設置場所に関する基本情報と、堰堤の詳細な寸法の堰堤寸法関連情報を入力フレーム（６１０）の入力欄へガイドフレーム（６２０）に表示された参考資料を参照して入力させるステップと、
設計支援サーバー（２）が、依頼者又は会社の通信端末（３）、（４）を使用する各ユーザーに単位体積重量及び密度関連情報並びに基礎地盤関連情報を入力フレーム（６１０）の入力欄へガイドフレーム（６２０）に表示された参考資料を参照して入力させ、前記各情報に基づいて滑動に対する安全率を算出し入力フォーム（６１０）の所定欄へ表示するステップと、
を含むことを特徴とする、請求項１に記載した堰堤の設計依頼支援方法。
【請求項４】
入力フォーム（６１０）は、依頼者が有する設計条件に関する補足情報や設計上の注意事項の文章を入力可能な連絡欄が設けていること、
依頼者から設計依頼を受けた会社が設計成果物を作成する上で参考となる設計図や図表の参考資料をＷＥＢページ上に添付ファイルとしてアップロード可能な構成とされていることを特徴とする、請求項１〜３のいずれか一に記載した堰堤の設計依頼支援方法。
【請求項５】
設計支援サーバー（２）は、依頼者が新規依頼しようとする案件の設計条件が、ＷＥＢページ上の案件履歴にある旧案件と同じ若しくは類似する場合には、該当する旧案件の設計条件の表示を促し、前記旧案件の設計条件を引き継いで新案件として利用可能なコピー機能を備えていることを特徴とする、請求項１〜４のいずれか一に記載した堰堤の設計依頼支援方法。
【請求項６】
進捗状況データベース（２３）は、依頼者又は依頼者から代理入力を依頼された会社の担当ユーザーが設計条件を変更した場合に、変更前と変更後の設計条件及び変更ユーザー名を閲覧可能に記録格納していることを特徴とする、請求項１〜５のいずれか一に記載した堰堤の設計依頼支援方法。
【発明の詳細な説明】
【技術分野】
【０００１】
この発明は、堰堤の設計成果物を依頼する際に詳細な設定条件の指定をＷＥＢページ上で行ないその進捗状況をリアルタイムに開示する技術分野に属し、更に云うと参考資料を表示させて設計条件を正確な入力で行わせて効率的な設計依頼を支援する堰堤の設計依頼支援方法に関する。
【背景技術】
【０００２】
従来から、設計事務所や設計コンサルタント（以下、依頼者という）は、都道府県や自治体等の発注主に対してコンサルティングを行う際、会社に設計条件等を指定して設計図面、割付図の作成や塗装面積の算出等の依頼を行い、指定条件に合わせて作成した設計成果物を収めてきた。
【０００３】
しかしながら、多岐にわたる設計条件や都道府県それぞれの設計基準の差異、構造物種別によって解釈が異なったり依頼者の誤認識等があることから、依頼者の設計条件の指定が曖昧であったり、設計条件の記載漏れ等の問題が多発している。したがって、会社は依頼者側からの電話による確認や相談を受け付けたり、設計上不明瞭な点がある場合には参考資料等をE-mail等により相互に提供し合うなどタイムロスとなる作業を行っていた。のみならず依頼者から設計条件を記載した依頼書を受け取った後でさえ前記設計条件に誤認や明らかな誤植等が発見されると、依頼者へその点に関する確認や指示をその都度行う必要があり、会社が設計成果物の作成を開始するに足りる完全な設計条件が揃うまで多大な時間を要していた。
【０００４】
依頼者は会社内の特に設計担当部署と確認や相談等のやり取りを頻繁に行い、設計成果物の納品等を行う会社内の営業部署とは、そのやり取りを必要最低限にとどめている。したがって会社の営業部署は社内の設計担当部署や依頼者等へ逐一その進捗状況について確認等を行う必要があり甚だ効率が悪かった。特に納品後のトレース等においては多大なるタイムロスが生じている。
【０００５】
ところで、コンピューターを用いた設計支援方法が特許文献１に開示されて公知である。特許文献１の発明は、複数のユーザーがインターネット等のコンピューターネットワークを利用して道路設計に係る条件を設定可能なツールを提供する道路設計サーバーにアクセスし、前記各ユーザーが前記ツールを操作すると自動的に道路設計が行える道路設計システムが開示されている。
【特許文献１】特許第３６５３０１９号公報
【発明の開示】
【発明が解決しようとする課題】
【０００６】
しかしながら、現在においてインターネット等のコンピューターネットワークを利用して堰堤等の設計条件をＷＥＢページ上で入力させ且つ参考資料を表示して設計条件の正確な入力を行わせて効率的な設計依頼を支援するような方法はなかった。
因みに特許文献１の発明は、各ユーザーが道路設計サーバーが提供するツールを操作して自動的に道路設計を行えるが、各ツールにおける設計条件の入力は各ユーザー（依頼者）が個々に持っている経験的知識に基づいているため誤認や誤植等が生じることは避けられず、その確認作業等々によるタイムロスの問題を防止していない。また、道路設計にかかる補足情報や注意事項、参考資料をやり取りする機能及び記載漏れや誤植を防止する機能についての記載は無い。
【０００７】
本発明の目的は、堰堤等の設計成果物を依頼するべく詳細な設定条件の指定をＷＥＢページ上で行せる際、設計条件毎に参考資料を同ＷＥＢページ上へ表示させ、入力された設計条件の記載漏れや誤植等を防止して、正確な入力と、設計依頼作業の効率の向上を図る堰堤の設計依頼支援方法を提供することにある。
【０００８】
本発明の次の目的は、設計条件に関する補足情報や注意事項及び参考資料をＷＥＢページ上に添付可能として、依頼者が会社へより正確な設計条件を伝えて精度の高い設計成果物を依頼できる堰堤の設計依頼支援方法を提供することにある。
【０００９】
本発明の更なる目的は、新規依頼しようとする設計条件が旧案件と同様若しくは類似する場合には、旧案件の設計条件を流用して効果的な依頼作業を可能とした堰堤の設計依頼支援方法を提供することにある。
【課題を解決するための手段】
【００１０】
上述した従来技術の課題を解決するための手段として、請求項１に記載した堰堤の設計依頼支援方法は、
設計支援サーバー（２）と、前記設計支援サーバー（２）へのアクセス権を有する依頼者が利用する通信端末（３）と、同じく設計支援サーバー（２）へのアクセス権を有する会社が利用する通信端末（４）とを、インターネットのネットワーク（５）を介して接続し、前記設計支援サーバー（２）が上記通信端末（３）、（４）を利用する各ユーザーにＷＥＢページ上で設計成果物の設計条件を記載漏れや誤植を防止した正確な入力で行わせると共に、最新の進捗状況を各通信端末を通じて閲覧可能に共有させて効率的な設計依頼を支援する堰堤の設計依頼支援方法であって、
設計支援サーバー（２）は、個人情報データベース（２１）及び設計案件データベース（２２）並びに進捗状況データベース（２３）と参考資料データベース（２４）とを有し、依頼者又は会社の通信端末（３）、（４）を利用する各ユーザーに設計条件を入力させる入力フォーム（６１０）と、設計条件の正確な入力をサポートする参考資料を提供するガイドフレーム（６２０）とを有するＷＥＢページを提供し、設計成果物の設計条件及び最新の進捗状況を前記各ユーザーへＷＥＢページ上で閲覧可能に共有させて開示し、
設計支援サーバー（２）は、依頼者又は会社の通信端末（３）、（４）を利用する各ユーザーに設計依頼する堰堤の種類を選択させ、選択された堰堤に係る設計成果物に必要十分な設計条件を入力可能な入力欄を有する前記入力フレーム（６１０）を出力画面上に表示させるステップと、
設計支援サーバー（２）は、依頼者又は会社の通信端末（３）、（４）を使用する各ユーザーが、少なくとも流出土砂量、土石流の流れ幅を含む土石流に関する設計条件、設置位置を含む設置場所に関する基本情報を入力するべく前記入力フレーム（６１０）の所定入力欄を指定すると、該所定入力欄への正確な値の入力をサポートする参考資料を参考資料データベース（２４）から抽出し前記ガイドフレーム（６２０）上に表示して正確な入力を促す入力支援ステップと、
設計支援サーバー（２）は、依頼者又は会社の通信端末（３）、（４）を使用する各ユーザーが入力フレーム（６１０）の入力欄に入力した数値が参考資料データベース（２４）に格納されている適正範囲から外れているか否かを確認し、外れている場合には出力画面上に警告表示させるステップと、
設計支援サーバー（２）は、設計条件の入力が完了すると依頼者又は会社の通信端末（３）、（４）を使用する各ユーザーに設計条件を設計案件データベース（２２）へ保存することを促し、前記保存する旨を受信すると、前記入力フレーム（６１０）の入力欄全てに数値が入力されているか否かを確認し、入力漏れがある場合には出力画面上にその旨を表示させて設計条件の入力を完了させ、その進捗状況をＷＥＢページ上の案件履歴に開示するステップと、
設計支援サーバー（２）は、依頼者及び会社の担当ユーザーが設計条件を指定して完成させた設計依頼を同設計支援サーバー（２）へ送信させ、その進捗状況をＷＥＢページ上の案件履歴へ開示して会社へ堰堤の設計成果物の依頼を行わせるステップと、
から成ることを特徴とする。
【００１１】
請求項２記載の発明は、請求項１に記載した堰堤の設計依頼支援方法において、
設計支援サーバー（２）は、依頼者の設定条件の入力が難しい場合、代理入力を要求する旨を同設計支援サーバー（２）へ送信させ、その進捗状況をＷＥＢページ上に開示して、会社の担当ユーザーに代理入力を促すステップを含むことを特徴とする。
【００１２】
請求項３記載の発明は、請求項１に記載した堰堤の設計依頼支援方法において、
入力支援ステップは、設計支援サーバー（２）が、依頼者又は会社の通信端末（３）、（４）を使用する各ユーザーに治山又は砂防のいずれの種類の堰堤を設計基準とするかを選択させ、その設計内容が概略設計か又は詳細設計とするかを特定させるステップと、
設計支援サーバー（２）が、依頼者又は会社の通信端末（３）、（４）を使用する各ユーザーに河川の流量、土砂量、河川の勾配の土石流に関する設計条件を入力フレーム（６１０）の入力欄へガイドフレーム（６２０）に表示された参考資料を参照して入力させ、且つ入力された土石流に係る設計条件からピーク流量、濃度、水深、流速を算出する計算式の種類を選択させるステップと、
設計支援サーバー（２）が、前記ステップで一依頼者又は会社の通信端末（３）、（４）を使用する各ユーザーから一般的に推奨されている計算式以外の選択を受けた場合に、誤植防止としてその理由を入力フレーム（６１０）の所定の入力欄へ入力させるステップと、
設計支援サーバー（２）が、依頼者又は会社の通信端末（３）、（４）を使用する各ユーザーに依頼者が設置しようとする堰堤の設置位置や設置目的、流木長・流木径の設置場所に関する基本情報と、堰堤の詳細な寸法の堰堤寸法関連情報を入力フレーム（６１０）の入力欄へガイドフレーム（６２０）に表示された参考資料を参照して入力させるステップと、
設計支援サーバー（２）が、依頼者又は会社の通信端末（３）、（４）を使用する各ユーザーに単位体積重量及び密度関連情報並びに基礎地盤関連情報を入力フレーム（６１０）の入力欄へガイドフレーム（６２０）に表示された参考資料を参照して入力させ、前記各情報に基づいて滑動に対する安全率を算出し入力フォーム（６１０）の所定欄へ表示するステップと、
を含むことを特徴とする。
【００１３】
請求項４記載の発明は、請求項１〜３のいずれか一に記載した堰堤の設計依頼支援方法において、
入力フォーム（６１０）は、依頼者が有する設計条件に関する補足情報や設計上の注意事項の文章を入力可能な連絡欄が設けていること、
依頼者から設計依頼を受けた会社が設計成果物を作成する上で参考となる設計図や図表の参考資料をＷＥＢページ上に添付ファイルとしてアップロード可能な構成とされていることを特徴とする。
【００１４】
請求項５記載の発明は、請求項１〜４のいずれか一に記載した堰堤の設計依頼支援方法において、
設計支援サーバー（２）は、依頼者が新規依頼しようとする案件の設計条件が、ＷＥＢページ上の案件履歴にある旧案件と同じ若しくは類似する場合には、該当する旧案件の設計条件の表示を促し、前記旧案件の設計条件を引き継いで新案件として利用可能なコピー機能を備えていることを特徴とする。
【００１５】
請求項６記載の発明は、請求項１〜５のいずれか一に記載した堰堤の設計依頼支援方法において、
進捗状況データベース（２３）は、依頼者又は依頼者から代理入力を依頼された会社の担当ユーザーが設計条件を変更した場合に、変更前と変更後の設計条件及び変更ユーザー名を閲覧可能に記録格納していることを特徴とする。
【発明の効果】
【００１６】
本発明に係る設計支援システムは、以下の効果を奏する。
（１）設計支援サーバーは、依頼者（又は会社の担当ユーザー（代理））が設計条件をＷＥＢページ上の入力フォームの所定入力欄へ入力する際、前記入力欄へ正確な入力をサポートする参考資料が同ＷＥＢページ上のガイドフレームへ表示させる方法としたので、依頼者はそれらの参考資料を参考にして設計条件を正確に入力できるし、伝達不足による設計条件の取り違いや電話等による会社との確認や相談等の作業を無くして設計依頼作業の効率を飛躍的に向上できる。
（２）入力フォームの入力欄へ入力した設計条件が前もって定義した適正範囲を外れた場合に出力画面上に警告表示する、また、入力フレームの入力欄全てに設計条件が入力されていない場合にはその旨も表示するので、設計条件の記載漏れや誤植を防止して正確な依頼書を作成できるし、設計不可となる案件依頼を未然に防止できる。のみならず誤植部分における確認等のやり取り等の手間を排除して設計依頼作業の効率が高まる。
（３）入力フォームには設計条件に関する補足情報や設計上の注意事項等の文章を入力可能な連絡欄を設け、且つ参考資料をＷＥＢページ上のアップロード可能に構成したので、依頼者は設計条件に係る詳細をより正確に会社へ伝えて精度の高い設計成果物の依頼が可能である。
（４）依頼者が設計条件の入力に不安を感じた場合等に、スムーズに会社の担当ユーザーへ代理入力を依頼できるインターフェイスであるため、同会社の担当ユーザーは自然なる名目をもって依頼者と接触でき、案件が滞ることなく迅速に引き継ぎを行うことができる。
（５）進捗状況のみならず、依頼済みの設計条件、またその内容について設計上やむを得ない変更が入った場合であっても、更新された最新の情報は設計支援サーバー上で管理されるため、依頼者、会社内の担当ユーザー（営業担当、設計担当）全てが最新の情報を共有できると共に、変更前と変更後の設計条件と変更ユーザー名も閲覧可能に共有されているため、設計条件と進捗状況がどのユーザーであっても正確に理解できるので伝達不足や思い違いによる案件の滞りを防止しできるし、第三者からの監視的効果により作業効率を向上できる。
（６）依頼者が新件依頼しようとする案件の設計条件が、ＷＥＢページ上の案件履歴にある旧案件と同じ若しくは類似する場合には、設計条件内容を流用できるので、設計条件を初めから指定する作業を省いて効果的な依頼作業ができる。
【発明を実施するための最良の形態】
【００１７】
以下に、図面に基づいて本発明の実施の形態を詳細に説明する。図１は本実施例に係る堰堤の設計依頼支援方法を実現する設計支援システム１の概略構成を示す図である。
【００１８】
設計支援システム１は、設計支援サーバー２、依頼者（コンサルタントとも云う。）の利用する通信端末３、会社の利用する通信端末４とで構成されている。また、設計支援サーバー２、通信端末３、通信端末４とはインターネット等のネットワーク５を介して相互にアクセス可能に接続されている。
【００１９】
前記設計支援サーバー２は、設計支援システム１に関する各種の処理をするためのものであり、例えばＣＰＵ（Central Processing Unit）や半導体メモリ、磁気ディスク記録装置などから構成され、少なくともメールサーバー、ＷＥＢサーバーを有している。
図示することは省略したが前記設計支援サーバー２は、ルータ等で成る通信制御部、処理制御部、データ記憶部とを備えており、前記ＣＰＵによって設計支援プログラム等の動作プログラムを実行する等により実現される。
【００２０】
前記設計支援サーバー２は、前記通信端末３、通信端末４へＷＥＢページを提供する。前記ＷＥＢページとはインターネット上の例えば、個人認証画面や案件履歴画面、メニュー画面、設計条件を入力させる画面等である。特に図６に示す設計条件を入力させる新件入力画面６００（ＷＥＢページ）は、前記通信端末３、４を使用してアクセスしたユーザーへ設計条件を入力させる入力フォーム６１０と、設計条件の正確な入力をサポートする参考資料を提供するガイドフレーム６２０、更にアクセスした個人情報を表示する個人情報フレーム６３０とで構成されている。
【００２１】
前記設計支援サーバー２は、複数のデータベース（以下単にＤＢと云う。）を有している。例えば個人情報ＤＢ２１、設計案件ＤＢ２２、進捗状況ＤＢ２３、参考資料ＤＢ２４等である。
【００２２】
前記個人情報ＤＢ２１は、設計支援システム１の利用を許可する登録を行った際に、各ユーザー（使用者）から入力される住所、電話番号、任意のＩＤ、パスワード等の個人情報を記録格納するデータベースである。例えば、ユーザーＩＤごとにレコードが作成され、各レコードに前記個人情報が記憶される。因みに前記ＩＤ及びパスワードは設計支援サーバー２にログオンするためのものである。また、本登録時に入力される住所等の個人特定情報から予め割り付けたテーブルに基づいて依頼者に対する会社の担当ユーザー（支店）が地域別に割り振られ個人情報フレーム６３０上に表示可能に格納されている。
【００２３】
前記設計案件ＤＢ２２とは、依頼者及び会社の担当ユーザー（支店）がＷＥＢページ上で作成した案件の設計条件データを随時記録格納するデータベースであり、各案件ごとに案件名と番号が付され前記各ユーザーが案件データを取り出し及び上書き保存等を行えるものである。
【００２４】
前記進捗状況ＤＢ２３は、ユーザーのそれぞれの進捗状況を表示するためのデータベースであり、依頼社及び会社の通信端末３、４から送信される全案件の進捗状況を依頼者側と、会社側とが異なる表示形態として関連付けたテーブルを有するデータベースである。図１７にその関連付けを示した。
【００２５】
前記参考資料ＤＢ２４は、依頼者又は会社の担当ユーザー（代理）がＷＥＢページ上の入力フォーム６１０へ各設計条件を入力する際、正確な入力をサポートするための参考資料が格納されたデータベースである。本実施例の参考資料としては、例えば堰堤に係る各計算式、堰堤に係る名称の説明、一般的な参考値等のデータである。因みに、前記入力フォーム６１０の各入力欄と参考資料は関連付けがされており、依頼者が前記該当する入力欄をマウス等の入力手段で指定すると自動的に、それに対応した参考資料がガイドフォーム６２０へ表示される構成とされている。
【００２６】
前記通信端末３及び通信端末４は、マウス、キーボート等で成る入力手段とモニター等で成る出力手段を有する汎用のパーソナルコンピュータ等から構成されインターネット等のネットワーク５を利用可能な環境に設定されている。会社の通信端末４は、会社（本店）及びそれぞれの地域に存在する担当ユーザー（支店）とが同じ属性で接続される。
【００２７】
通信端末３及び通信端末４を利用するユーザーは、各通信端末３、４からネットワーク５を介して設計支援サーバー２に接続し、堰堤の設計に必要な設計条件をＷＥＢページ上で入力し、その進捗状況を閲覧しまた送信等を行う。
以下に、本発明の堰堤等の設計依頼支援方法を設計支援システム１の設計支援サーバー２の動作を中心に図２に示すフローチャートにより説明する。
【００２８】
ステップＡにおいて、設計支援サーバー２は、依頼者の通信端末３又は会社の通信端末４からネットワーク５を介してアクセスしてきたユーザーへ、図４に示すメニュー画面４００を表示させ、入力欄４０１に予め依頼者と会社へ別々のＵＲＬを提供して登録したＩＤ及びパスワードを入力させて、同設計支援サーバー２の設計支援プログラムへログインするよう促す。ユーザー登録をしていない場合はユーザー登録ボタン４０２をクリックしてユーザー登録を行う。
【００２９】
各ユーザーがログインすると、設計支援サーバー２は図５のメニュー画面５００を表示する。前記メニュー画面５００には、新件入力ボタン５０１と履歴表示ボタン５０２が備えられている。これまでの全案件の進捗状況を閲覧したいときには履歴表示ボタン５０２をクリックすると図１６に示すような案件履歴画面１６００にその一覧が表示される。依頼者が利用する通信端末３から接続した場合に表示される進捗状況と、会社が利用する通信端末４から接続した場合に表示される進捗状況とは異なるものである。図示例では、会社の通信端末４から接続した場合を示している。
【００３０】
次にステップＢで、設計支援サーバー２は、依頼者が堰堤の設計成果物を依頼するべく設計条件の入力を行わせる。その具体的な支援方法について図３に示すフローチャートから説明する。
前記設計支援サーバー２は、前記依頼者が新件入力ボタン５０１をクリックすると、堰堤に係る設計成果物に必要十分な設計条件を入力可能な図６の新件入力画面６００を表示させ設計条件の正確な入力を開始させる。前記新件入力画面６００には上述したように堰堤設計に係る各設計条件を入力する複数の入力欄を有する入力フレーム６１０と、設計条件の正確な入力をサポートする参考資料を表示するガイドフレーム６２０と、同サーバー２へアクセスした個人情報を表示する個人情報フレーム６３０とが表示されている。
【００３１】
次に、設計支援サーバー２は依頼者に、図７に拡大して示した前記入力フレーム６１０の案件名入力ブロック６１１の入力欄６１１ａへ施主及び案件管理用に案件名を記入させる。そして、ステップＢ１で前記入力フレーム６１０の設計内容指定ブロック６１２の選択欄６１２ａで設計依頼する堰堤の種類が治山か砂防のいずれかを設計基準とするかを選択させる。そして、ステップＢ１ａにおいて選択欄６１２ｂでそれぞれの種類の堰堤の設計内容を概略設計か又は詳細設計とするかを選択させ特定する。
【００３２】
すると、設計支援サーバー２はステップＢ２で、図８に示す依頼者へ河川の流量、土砂量、河川の勾配等の土石流に関する設計条件を入力させる土石流の諸元ブロック６１３を表示させる。前記諸元ブロック６１３には上記ステップＢ１、Ｂ１ａで依頼者が特定した堰堤の種類と設計内容によって予め決定された項目数の入力欄６１３ｎ…が表示されている。因みに土石流の諸元は砂防で詳細設計の場合は１３項目、砂防で概略設計の場合は４項目、治山で詳細設計の場合は４項目、治山で概略設計の場合は２項目である。
本実施例では砂防の詳細設計を中心に説明し、それ以外は随時説明を加えることとする。
【００３３】
上述したようにステップＢ２で入力する土石流に関する設計条件の項目数は１３項目であり、即ち、１清水の流量（水のみの流量）Ｑｐ（入力欄６１３ａ）、２流出土砂量（空隙込み）Ｖ（入力欄６１３ｂ）、３河床勾配（現況渓床）Ｉ（入力欄６１３ｃ）、４土石流の流れ幅Ｂ（入力欄６１３ｄ）、５礫の密度σ（入力欄６１３ｅ）、６水の密度ρ（入力欄６１３ｆ）、７堆積土砂のせん断抵抗角φ（入力欄６１３ｇ）、８堆積土砂の土圧係数Ｃｅ（入力欄６１３ｈ）、９土石量の濃度Ｃｄ（入力欄６１３ｊ）、土石流のピーク流量Ｑｓｐ（入力欄６１３ｋ）、１１土石流の水深ｈ（入力欄６１３ｌ）、１２土石流の流速Ｕ（入力欄６１３ｍ）、１３土石流の単位体積重量ρｄ（入力欄６１３ｎ）である。
【００３４】
依頼者は前記入力欄６１３ａ〜６１３ｈのそれぞれの入力欄を指定すると自動的にガイドフレーム６２０へ該所定入力欄に対応して正確な入力をサポートする参考資料が表示され（図６参照）、同参考資料に基づいて、上記の１〜８（入力欄６１３ａ〜６１３ｈ）へ土石流の正確な設計条件を入力していく。後述する設計条件の入力も上記の通りガイドフレーム６２０へ参考資料が表示されて正確な入力が支援される。
【００３５】
次に設計支援サーバー２はステップＢ２ｂで、前記入力欄６１３ａ〜６１３ｈへ入力された土石流に係る設計条件から、入力欄６１３ｊ〜６１３ｎ（９〜１３項目）の設計条件を自動的に算出しその結果を表示する。
つまり前記設計支援サーバー２はステップＢ２ａで自動的に算出するべく依頼者へ根拠式の種類を式選択欄６１３ｉで選択させる。式選択欄６１３ｉにはピーク流量を比較して大きい方の値を採用する（通常）とする式Ａと、理論式を採用する式Ｂと、経験式を採用する式Ｃが選択可能となっている。依頼者が前記式Ａ〜Ｃの何れかを選択するとステップＢ２ｂで自動的に９〜１３項目の計算値が算出され各入力欄６１３ｊ〜６１３ｎ内へその結果が表示される。
【００３６】
前記設計支援サーバー２は、前記ステップで一般的に推奨されている計算式であるＡ以外を選択した場合には、誤植防止としてその理由を理由入力欄６１３ｉ２へ入力させる。
【００３７】
次に設計支援サーバー２は、依頼者へステップＢ３で、同依頼者が設置しようとする堰堤の設置位置や設置目的、流木長・流木径等の設置場所に関する基本情報を図９に示す入力フレーム６１０の基本情報ブロック６１４の各入力欄６１４ｎに入力させる。砂防堰堤で詳細設計の場合は最大６項目ある。依頼者は初めにステップＢ３ａで設置位置（上流域設置または最下流域設置）を選択欄６１４ａで選択し、次にステップＢ３ｂで施設の目的が土石流対策のみか土石流＋流木捕捉なのかを選択欄６１４ｂで選択する。この際、土石流対策のみである場合には、ステップＢ４へ進む。土石流＋流木捕捉である場合には、ステップＢ３ｃで、最大礫径ｄｍａｘを入力欄６１４ｃへ、最大流木長Ｌを入力欄６１４ｄへ、流木径Ｄを入力欄６１４ｅへ、平均礫径ｄを入力欄６１４ｆへそれぞれ入力する。
因みに、ステップＢ３において砂防の概略設計では５項目、治山の詳細設計及び概略設計では４項目の設計条件の入力が必要である。
【００３８】
前記設計支援サーバー２はステップＢ４で、図１０に示すように依頼者へ堰堤寸法関連情報を入力フレーム６１０の堰堤寸法関連情報ブロック６１５の各入力欄６１５ｎへ入力させる。堰堤寸法関連情報とは、設置しようとする構造物の寸法を指定するものである。砂防堰堤、詳細設計の場合は最大９項目の設計条件が入力される。即ち、１は堰堤高Ｈ０（入力欄６１５ａ）、２はスリット高Ｈ１（入力欄６１５ｂ）、３は基礎コンクリート高Ｈ２（入力欄６１５ｃ）、４は透過形状（透過型、部分透過型）（治山を選択した場合及び砂防の概略設計においては非表示項目となる）（選択欄６１５ｄ）５は越水水深Δｈ（入力欄６１５ｅ）、６は水通し幅（放水路幅）（入力欄６１５ｆ）、７は袖部の高さ（水通しの高さ）ＳＨ（入力欄６１５ｇ）であり、８はステップＢ４ａとして袖部の形状が直立法（直立型）か下流法（下流型）であるかを選択する（選択欄６１５ｈ）。下流法で且つ治山の詳細設計である場合にはステップＢ４ｂで袖部の最大高を入力欄６１５ｈ２へ入力する。９は袖部の天端幅ｂ（入力欄６１５ｉ）及び天端幅の最小値ｂ２（入力欄６１５ｉ２）を入力する。但し直立法を選択した場合は９の両数値とも非表示項目となり、概略設計である場合には袖部の天端幅ｂ非表示項目となる。
【００３９】
前記設計支援サーバー２は、ステップＢ５で図１１に示すように依頼者へ単位体積重量及び密度関連情報を入力フレーム６１０の単位体積重量及び密度関連情報ブロック６１６の各入力欄６１６ｎへ入力させる。全体で４項目の入力がある。即ち、１水の密度ρ（入力欄６１６ａ）、２コンクリートの単位堆積重量γｃ（入力欄６１６ｂ）、３堆積土の空中単位重量γｄ（入力欄６１６ｃ）、４堆積土の水流単位重量γｄ’（入力欄６１６ｄ）である。但しこのステップは詳細設計を選択した場合にのみ入力するものである。また、詳細設計であっても治山を選択している場合には、１、３、４は表示項目となり一項目（２のみ）のみの入力となる。
【００４０】
前記設計支援サーバー２はステップＢ６で、図１２に示すように依頼者へ基礎地盤関連情報を基礎地盤関連情報ブロック６１７の各入力欄６１７ｎ…へ入力させる。砂防堰堤で詳細設計の場合入力する項目数は５項目である。即ち、１地盤種別（プルダウンメニュー６１７ａ）、２許容地盤支持力Ｑａ（入力欄６１７ｃ）、３構造物と基礎地盤との摩擦係数μ（入力欄６１７ｄ）せん断強度を見込む／見込まない（入力欄６１７ｅ）、４基礎地盤のせん断強度τ（入力欄６１７ｆ）、５コンクリートのせん断強度τ（入力欄６１７ｇ）である。
１の地盤種別はステップＢ６ａでプルダウンメニューにより例えば岩盤の４種類及び砂礫盤の４種類の中から地盤の種類を選択する。選択した地盤の種類に従い且つ選択欄６１７ｂで「上で選択した地盤種別の便覧参考値を使用する」を選択すると２（入力欄６１７ｃ）と３（入力欄６１７ｄ）は一般的な参考値が自動的に入力される。参考値を使用しない場合を選択した場合にはガイドフレーム６２０に表示された参考値を参考に前記入力欄６１７ｃ、６１７ｄへそれぞれ入力する。４（入力欄６１７ｆ）と５（入力欄６１７ｇ）は治山を選択した場合は非表示項目となる。また、砂防の概略設計を選択した場合１のみ１項目以外非表示項目となる。
【００４１】
３（入力欄６１７ｅ）の剪断力を見込む/見込まないに関する選択ステップＢ６ｂは、１（プルダウンメニュー６１７ａ）で岩盤を選択した場合は通常せん断強度を見込むものである。しかし、あえて見込まないを選択する場合には誤植を防止するため上述したように理由入力欄６１７ｅ２へその理由を入力する。因みに１（プルダウンメニュー６１７ａ）で砂礫盤を選択した場合には通常剪断力は見込まないのでグレイアウトされ、剪断力を見込まない選択をした場合には、４（入力欄６１７ｆ）と５（入力欄６１７ｇ）は入力不可能とされる。
【００４２】
次にステップＢ６ｃで設計支援サーバー２はステップＢ６で入力された各選択内容及び入力情報に基づいて滑動に対する安全率を自動的に算出し入力フォーム６１０の安全率表示ブロック６１８の安全率欄６１８ａへ表示する。
【００４３】
また、依頼者はステップＢ７で、会社が設計成果物を作成する上で参考となる設計図や図表等の参考資料を、図１３に示す設計参考資料ブロック６１９の添付欄６１９ａの参照ボタン６１９ａ’で添付するファイルを指定してＷＥＢページ上にアップロードすることができる。また、前記入力フォーム６１０には、依頼者が有する設計条件に関する補足情報や設計上の注意事項等の文章を入力可能な連絡欄６１９ｂを設けている。
【００４４】
上記のステップＢにより設計条件の入力を全て完了させると依頼者は、図６に示すように入力フレーム６１０の最後尾に設けられている入力完了ボタン６０１をクリックする。すると、前記入力フレーム６１０の入力欄全てに設計条件が入力されているか否かを確認し、入力漏れがある場合にはモニター等の出力画面上にその旨を表示させて設計条件の入力を完了させ、再び入力完了ボタン６０２をクリックすると、依頼者が入力した設計条件の全てが図１５に示す確認フォーム１５００に表示され目視での確認を促し、誤植等が無い場合には決定ボタン１５０１をクリックして設計支援サーバー２にその進捗状況と設計条件データーを送信する。
【００４５】
すると前記設計支援サーバー２はステップＣで送信された進捗状況を進捗状況ＤＢ２３へ、設計条件データを設計案件ＤＢ２２へそれぞれ記録格納し、図１６に示す案件履歴画面１６００に「ヘッダ入力待ち」と開示する。ヘッダとは、設計依頼書を出力するために、納品先や用紙サイズの指定など会社の担当ユーザー（支店）が入力する項目である。したがって、会社の通信端末４を利用する担当ユーザーが図１６の案件履歴画面１６００を表示させ「ヘッダ入力待ち」となっている案件の詳細情報ボタン１６０１をクリックして、図１４に示すヘッダ入力画面１４００を表示させ適切なヘッダを入力すると、確認画面が表示され決定ボタン（図示省略）をクリックすると前記案件履歴画面１６００に「作成待ち」と変更されると共に、自動的に依頼書をエクセル（登録商標）等の表計算ソフトにより作成する。斯くすると、捺印等をして正式に会社へ回して依頼される。
【００４６】
次に図２へ戻りステップＤについて説明する。このステップは依頼者がステップＢで堰堤の設計条件の詳細を入力途中に、分からなくなったり等設定条件の入力が難しく代理入力が必要（ＹＥＳ）な場合、代理入力切り替えを要求する旨を設計支援サーバー２へ送信させ、その進捗状況をＷＥＢページ上に開示して、会社の担当ユーザーに代理入力を促すものである。必要でない場合にはステップＥへ進む。
【００４７】
具体的には依頼者が図６の入力フレーム６１０の代理入力切替えボタン６０２をクリックして代理入力を要求する旨を設計支援サーバー２へ送信する。すると設計支援サーバー２はその旨を図１６の案件履歴画面１６００に「代理入力待ち」と開示し、会社の担当ユーザー（支店）へ代理入力を促すことができる。この際、ユーザー登録時に割り付けられた依頼者に対する担当ユーザー（支店）の案件履歴画面１６００上に、前記「代理入力待ち」が表示することにより依頼される。勿論、設計支援サーバー２は上述した進捗状況を進捗状況ＤＢ２３へ、途中まで設計条件を入力している場合にはその設計条件データを設計案件ＤＢ２２へそれぞれ記録格納する。依頼された支店の担当ユーザーは図１６の案件履歴画面１６００の「代理入力待ち」を開示されている案件の詳細ボタン１６０１をクリックする。すると設計支援サーバー２は図１４のヘッダ入力画面１４００が表示させ、代理依頼された会社の担当ユーザーに上述したステップＢ１〜７（図３）を代理入力させて入力完了ボタン６０１をクリックさせることにより、会社内の設計担当部署へ正式な設計依頼を行わせる。代理入力の場合は支店の担当ユーザーとしてログインしているためヘッダ入力画面１４００上でヘッダ入力を同時に行える。
【００４８】
前記設計支援サーバー２は、上述したように依頼者又は会社の通信端末３及び４を使用するユーザーが入力フレーム６１０の各入力欄に設計条件を入力すると、同設計条件が参考資料ＤＢ２４に格納されている適正範囲から外れているか否かを常に確認し、外れている場合には随時出力画面上に警告表示させる。
【００４９】
上記のようにして依頼者が会社へ設計条件を入力して設計依頼すると、ステップＥで会社の設計担当部署が設計を開始することとなる。設計支援サーバー２は、会社が設計を開始すると同設計支援サーバー２へその旨を送信させ進捗状況ＤＢ２３へ記録格納すると共に、その進捗状況を図１６の案件履歴画面１６００に開示する。
【００５０】
そしてステップＦで会社の設計担当部署が設計を完了すると、設計支援サーバー２は会社の担当ユーザーに設計が完了した旨を同設計支援サーバー２へ送信させ進捗状況ＤＢ２３へ記録格納すると共に、その進捗状況を図１６の案件履歴画面１６００に開示する。
【００５１】
ステップＧで、会社が依頼者へ設計成果物を納品すると、設計支援サーバー２は納品した旨を同設計支援サーバー２へ送信させ進捗状況ＤＢ２３へ記録格納すると共に、その進捗状況を図１６案件履歴画面１６００に開示する。
【００５２】
なお、依頼者又は依頼者から代理入力を依頼された会社の担当ユーザーが依頼済みの設計条件（ステップＥ〜Ｆの状態案件）、またその内容について設計上やむない変更が入った場合であっても、更新された最新の情報は設計支援サーバー上で管理されるため、依頼者、会社内の担当ユーザー（営業担当、設計担当）全てが最新の情報を共有できると共に、図１８に示すように変更前と変更後の設計条件と変更ユーザー名も閲覧可能に共有されているため、設計条件と進捗状況がどのユーザーであっても正確に理解できるので伝達不足や思い違いによる案件の滞りを防止しできるし、第三者からの監視的効果により作業効率を向上できる。
【００５３】
設計支援サーバーは、依頼者が新規依頼しようとする案件の設計条件が、ＷＥＢページ上の案件履歴にある旧案件と同じ若しくは類似する場合には、該当する旧案件の設計条件の表示を促し、前記旧案件の設計条件を引き継いで新案件として利用可能なコピー機能を備えている（請求項６記載の発明）。
【００５４】
以上に実施形態を図面に基づいて説明したが、本発明は、図示例の実施形態の限りではなく、その技術的思想を逸脱しない範囲において、当業者が通常に行う設計変更、応用のバリエーションの範囲を含むことを念のために付言する。
【図面の簡単な説明】
【００５５】
【図１】本発明に係る堰堤の設計依頼支援方法を実現するシステムの構成を概略的に示した図である。
【図２】本発明に係る堰堤の設計依頼支援方法の全体的な流れを説明する流れ図である。
【図３】図２のステップＢの具体的な流れを説明する流れ図である。
【図４】ＩＤとパスワードを入力するダイアログボックスの一例を示す図である。
【図５】新規入力と履歴表示を選択させるダイアログボックスの一例を示す図である。
【図６】設定条件の詳細を入力するダイアログボックスの一例を示す図である。
【図７】案件情報び設計内容入力するダイアログボックスの一例を示す図である。
【図８】土石流の諸元を入力するダイアログボックスの一例を示す図である。
【図９】基本情報を入力するダイアログボックスの一例を示す図である。
【図１０】堰堤寸法関連情報を入力するダイアログボックスの一例を示す図である。
【図１１】単位体積重量および密度関連情報を入力するダイアログボックスの一例を示す図である。
【図１２】基礎地盤関連情報を入力するダイアログボックスの一例を示す図である。
【図１３】添付ファイル及び連絡事項を添付するダイアログボックスの一例を示す図である。
【図１４】ヘッダを入力するダイアログボックスの一例を示す図である。
【図１５】設計条件を確認するダイアログボックスの一例を示す図である。
【図１６】案件履歴の一覧を示すダイアログボックスの一例を示す図である。
【図１７】依頼者側から見た進捗状況と会社側から見た進捗状況の関連付けを示す参考表である。
【図１８】設計条件の変更が生じた場合その変更前と変更後の設計条件と変更ユーザー名を表示したダイアログボックスの一例を示す図である。
【符号の説明】
【００５６】
１            設計支援システム
２            設計支援サーバー
３            依頼者の通信端末
４            会社の通信端末
５            ネットワーク
２１          個人情報ＤＢ
２２          設計案件ＤＢ
２３          進捗状況ＤＢ
２４          参考資料ＤＢ
【図１】
0004741334.tif 000002
【図２】
0004741334.tif 000003
【図３】
0004741334.tif 000004
【図４】
0004741334.tif 000005
【図５】
0004741334.tif 000006
【図６】
0004741334.tif 000007
【図７】
0004741334.tif 000008
【図８】
0004741334.tif 000009
【図９】
0004741334.tif 000010
【図１０】
0004741334.tif 000011
【図１１】
0004741334.tif 000012
【図１２】
0004741334.tif 000013
【図１３】
0004741334.tif 000014
【図１４】
0004741334.tif 000015
【図１５】
0004741334.tif 000016
【図１６】
0004741334.tif 000017
【図１７】
0004741334.tif 000018
【図１８】
0004741334.tif 000019